(57)【要約】【課題】薄形かつ軽量にしてより実用性の高いホログラムメディアカートリッジを提供する。【解決手段】カートリッジケース２にホログラム３を収納するためのホログラム収納凹部２２ａを設け、当該凹部２２ａ内にホログラム３を収納すると共に、当該凹部２２ａ内に収納されたホログラム３の表面を透光性の基板４にて覆う。ホログラム３を２枚の基板４の間に挟み込み、これをカートリッジケース２内に収納する場合に比べて、基板一枚分、ホログラムメディアカートリッジを薄形化及び軽量化することができる。【選択図】図１
2006338774.tif 000002
【特許請求の範囲】
【請求項１】
カートリッジケース内にホログラムを収納してなるホログラムメディアカートリッジにおいて、前記カートリッジケースに前記ホログラムを収納するためのホログラム収納凹部を設け、当該凹部内に前記ホログラムを収納すると共に、前記凹部内に収納された前記ホログラムの表面を透光性の基板にて覆うことを特徴とするホログラムメディアカートリッジ。
【請求項２】
前記ホログラム収納凹部の周縁部に、前記基板の周縁部を嵌合するための基板収納凹部を形成したことを特徴とする請求項１に記載のホログラムメディアカートリッジ。
【請求項３】
前記カートリッジケースに、余剰のホログラムを収納するための、前記ホログラム収納凹部と連通するホログラム溜め凹部を形成したことを特徴とする請求項１又は請求項２に記載のホログラムメディアカートリッジ。
【請求項４】
前記カートリッジケースの上面に、前記ホログラムに対する情報の記録位置を示すための基準位置マークを形成したことを特徴とする請求項１乃至請求項３のいずれか１項に記載のホログラムメディアカートリッジ。
【発明の詳細な説明】
【技術分野】
【０００１】
本発明は、ホログラムメディアカートリッジに係り、特に、カートリッジケース内へのホログラムの収納構造に関する。
【背景技術】
【０００２】
近年、ＣＤやＤＶＤなどの光ディスクに比べて情報の記録容量が格段に高く、しかも媒体を高速で回転駆動する必要がなく、記録再生装置の媒体駆動系を省略又は簡略化できることから、情報記憶担体としてホログラムを用いるホログラムメディアが注目されている。
【０００３】
ホログラムメディアは、基本的には、２枚の基板の間にホログラム記録層を挟み込んだ構造を有する。そして、露光によるホログラム記録層の劣化を防止するため、ホログラムメディアを遮光性のカートリッジケース内に収納する技術が従来より提案されている（例えば、特許文献１参照。）。
【特許文献１】特開２００３−３１７４２２号公報
【発明の開示】
【発明が解決しようとする課題】
【０００４】
しかしながら、単に２枚の基板の間にホログラムが挟み込まれたホログラムメディアをカートリッジケース内に収納した構造にすると、ホログラムメディアカートリッジが厚型及び大重量なものになるという不都合がある。
【０００５】
本発明は、かかる従来技術の不備を解決するためになされたものであり、その目的は、薄形かつ軽量にしてより実用性の高いホログラムメディアカートリッジを提供するにある。
【課題を解決するための手段】
【０００６】
本発明は、上記課題を解決するため、カートリッジケース内にホログラムを収納してなるホログラムメディアカートリッジにおいて、前記カートリッジケースに前記ホログラムを収納するためのホログラム収納凹部を設け、当該凹部内に前記ホログラムを収納すると共に、前記凹部内に収納された前記ホログラムの表面を透光性の基板にて覆うという構成にした。
【０００７】
かかる構成によると、ホログラムメディアを構成する基板の一方がホログラム収納凹部の底面をもって代用されるので、ホログラムメディアを構成する一方の基板を省略することができ、ホログラムメディアカートリッジの薄形化及び軽量化を図ることができる。また、一方の基板を省略できることから、部品点数の減少及び組立工数の低減によるホログラムメディアカートリッジの低コスト化を図ることもできる。
【０００８】
また、本発明は、前記構成のホログラムメディアカートリッジにおいて、前記ホログラム収納凹部の周縁部に、前記基板の周縁部を嵌合するための基板収納凹部を形成するという構成にした。
【０００９】
かかる構成によると、ホログラムのみならず基板もカートリッジケースに埋め込むことができるので、ホログラムメディアカートリッジのより一層の薄形化を図ることができる。また、カートリッジケース内にホログラムメディアを組み込む際に、基板収納凹部が基板の位置決め手段として機能するので、ホログラムメディアカートリッジの組立を容易化することができる。
【００１０】
また、本発明は、前記構成のホログラムメディアカートリッジにおいて、前記カートリッジケースに、余剰のホログラムを収納するための、前記ホログラム収納凹部と連通するホログラム溜め凹部を形成するという構成にした。
【００１１】
かかる構成によると、ホログラム溜め凹部が余剰のホログラムの逃げ部として機能するので、ホログラム収納凹部内に注入されるホログラムの量が多少変動しても、常に均一厚さのホログラムをホログラム収納凹部の全面にわたって形成することができ、所要の記録特性を有するホログラムメディアカートリッジを高歩留まりで作製することができる。
【００１２】
また、本発明は、前記構成のホログラムメディアカートリッジにおいて、前記カートリッジケースの上面に、前記ホログラムに対する情報の記録位置を示すための基準位置マークを形成するという構成にした。
【００１３】
かかる構成によると、カートリッジケースの上面に形成された基準位置マークを基準として、カートリッジケースに収納されたホログラムに対する情報の記録とホログラムに記録された情報の再生とを行うことができるので、情報の記録再生を高精度かつ高能率に行うことができる。
【発明の効果】
【００１４】
本発明のホログラムメディアカートリッジは、カートリッジケースにホログラムを収納するためのホログラム収納凹部を設け、当該凹部内にホログラムを収納すると共に、当該凹部内に収納されたホログラムの表面を透光性の基板にて覆うので、ホログラムメディアを構成する一方の基板を省略することができ、ホログラムメディアカートリッジの薄形化及び軽量化を図ることができる。また、一方の基板を省略できることから、部品点数の減少及び組立工数の低減によるホログラムメディアカートリッジの低コスト化を図ることもできる。
【発明を実施するための最良の形態】
【００１５】
以下、本発明に係るホログラムメディアカートリッジの実施形態を、図１乃至図１０に基づいて説明する。図１は実施形態に係るホログラムメディアカートリッジの平面図、図２は実施形態に係るホログラムメディアカートリッジの背面図、図３は実施形態に係るホログラムメディアカートリッジの一側面図、図４は実施形態に係るホログラムメディアカートリッジの一端面図、図５は図１のＡ−Ａ断面図、図６は図１のＢ−Ｂ断面図、図７は図２のＣ−Ｃ断面図、図８は図２のＤ−Ｄ断面図、図９は実施形態に係るホログラムメディアカートリッジの斜視図、図１０は実施形態に係るホログラムメディアカートリッジのシャッタ開放状態の平面図である。
【００１６】
これらの図に示すように、本例のホログラムメディアカートリッジは、カートリッジ本体１と、当該カートリッジ本体１に取り付けられたカートリッジケース２と、当該カートリッジケース２内に収納されたホログラム３と、当該ホログラム３の表面を覆う基板４と、前記カートリッジケース２に摺動可能に取り付けられたシャッタ部材５とから構成されている。
【００１７】
カートリッジ本体１は、遮光性のプラスチック材料などをもって所定サイズの長方形に形成されており、その長辺方向の一端部には、シャッタ部材５の開放側停止部１１が起立されている。また、このカートリッジ本体１の開放側停止部１１が形成されていない側の端部寄りには、カートリッジケース２を貫通保持するための正方形の透孔１２が開設されている。さらに、このカートリッジ本体１の内面及び外面の前記透孔１２の両側部分には、カートリッジ本体１の長辺方向に延びる凹溝１３，１４が形成されており、当該凹溝１３，１４の長さ方向の両端部には、シャッタ部材５を開放側停止位置に保持するための透孔１５と閉止側停止位置に保持するための透孔１６とが開設されている。
【００１８】
カートリッジケース２は、遮光性のプラスチック材料などをもってカートリッジ本体１よりもやや小型の長方形に形成されており、その長辺方向の一端部には、シャッタ部材５の閉止側停止部２１が起立されている。この閉止側停止部２１の中央部には、記録再生装置に備えられた図示しないシャッタ駆動片を挿通するための切欠２１ａが設けられる。また、このカートリッジケース２の閉止側停止部２１が形成されている側の端部寄りには、前記カートリッジ本体１に開設された透孔１２内に挿入される正方形の第１凹部２２と、当該第１凹部２２の周縁部に設けられたフランジ状の第２凹部２３とが同心に形成されている。第１凹部２２は、中央部が浅く、周辺部が深く形成されており、中央部の浅い部分がホログラム収納凹部２２ａ、周辺部の深い部分がホログラム溜め凹部２２ｂとして利用される。また、フランジ状の第２凹部２３は、基板収納凹部として利用される。さらに、このカートリッジケース２の上面の第２凹部２３の外周部分には、図５及び図１０に示すように、ホログラム３に対する情報の記録位置を示すための基準位置マーク２４がくぼみをもって形成されている。
【００１９】
カートリッジ本体１とカートリッジケース２とは、カートリッジ本体１に形成された開放側停止部１１の内面に閉止側停止部２１が形成されていないカートリッジケース２の先端部を当接し、カートリッジ本体１に開設された透孔１２内にカートリッジケース２に形成された第１凹部２２を嵌合することにより一体化される。
【００２０】
ホログラム３は、所要の感光性ポリマー等からなり、前記カートリッジケース２に形成されたホログラム収納凹部２２ａ内に収納される。基板４は、片面に所要の微細加工が施されたガラス又はプラスチックをもって形成され、前記カートリッジケース２に形成された第２凹部２３、即ち、基板収納凹部内に収納される。これにより、ホログラム３がホログラム収納凹部２２ａの底面と基板４の内面との間で均等な厚さに成形され、高性能なホログラム記録が可能になる。なお、余剰のホログラム３は、ホログラム溜め凹部２２ｂ内に流入する。
【００２１】
シャッタ部材５は、遮光性のプラスチック材料などをもって形成されており、カートリッジケース２の上面の約１／２の範囲を覆う天板部５１と、カートリッジケース２の側面を覆う側板部５２，５３と、カートリッジ本体１に形成された凹溝１３，１４内に係合される係合部５４，５５と、シャッタ部材５の開閉動作に応じてカートリッジ本体１に開設された透孔１５又は透孔１６に係止される係止部５６とから構成されている。このシャッタ部材５と前記カートリッジ本体１との間又は前記カートリッジケース２との間には、シャッタ部材５を常時閉止方向に付勢するための戻しばねを備えることもできる。
【００２２】
以下、前記のように構成された本例のホログラムメディアカートリッジの動作について説明する。
【００２３】
不使用時においては、図８に示すように、シャッタ部材５の係止部５６がカートリッジ本体１に開設された透孔１６に係止されており、シャッタ部材５の一端がカートリッジケース２に形成された閉止側停止部２１に突き当てられ、ホログラム３及び基板４がシャッタ部材５によって覆われている。これにより、ホログラム３の露光が防止され、ホログラムメディアカートリッジの長期保存が可能になる。
【００２４】
情報の記録時又は再生時、閉止側停止部２１を記録再生装置側にして、ホログラムメディアカートリッジを記録再生装置内に挿入すると、記録再生装置内に備えられているシャッタ駆動片（図示省略）がカートリッジケース２に形成された切欠２１ａ内に挿通され、記録再生装置に対するホログラムメディアカートリッジの挿入力によりシャッタ部材５に形成された係止部５６が弾性変形し、係止部５６と透孔１６との係止が解除される。この状態からホログラムメディアカートリッジをさらに記録再生装置内に押し込むと、それに伴ってシャッタ部材５が徐々に開放されてゆき、最後にシャッタ部材５の先端部がカートリッジ本体１に形成された開放側停止部１１に突き当たり、シャッタ部材５が全開状態となる。このとき、シャッタ部材５に形成された係止部５６がその弾性によってカートリッジ本体１に開設された透孔１５に係止される。したがって、シャッタ駆動片をホログラムメディアカートリッジ内から除去した後も、シャッタ部材５は全開位置に安定に保持される。
【００２５】
シャッタ部材５の全開状態においては、図１０に示すように、基板４を介してホログラム３が露出されると共に、カートリッジケース２の上面に基準位置マーク２４が露出される。したがって、この基準位置マーク２４を基準として記録再生装置に備えられた光学系を駆動することにより、ホログラム３上の所定位置への情報の記録、及びホログラム３上の所定位置に記録された情報の再生が可能になる。
【００２６】
本例のホログラムメディアカートリッジは、カートリッジケース２に形成されたホログラム収納凹部２２ａの底面上に直接ホログラム３を設定し、当該ホログラムの上面に基板４を設定したので、ホログラムメディアを構成する一方の基板を省略することができ、ホログラムメディアカートリッジの薄形化及び軽量化を図ることができる。また、一方の基板を省略できることから、部品点数の減少及び組立工数の低減によるホログラムメディアカートリッジの低コスト化を図ることもできる。
【００２７】
また、本例のホログラムメディアカートリッジは、ホログラム３のみならず基板４もカートリッジケース２内に埋め込んだので、ホログラムメディアカートリッジのより一層の薄形化を図ることができる。また、カートリッジケース２内にホログラムメディアを組み込む際に、基板収納凹部２３が基板４の位置決め手段として機能するので、ホログラムメディアカートリッジの組立を容易化することができる。
【００２８】
また、本例のホログラムメディアカートリッジは、ホログラム収納凹部２２ａの周囲にホログラム溜め凹部２２ｂを設けたので、余剰のホログラム３をホログラム溜め凹部２２ｂ内に逃がすことができる。よって、ホログラム収納凹部２２ａ内に注入されるホログラム３の量が多少変動しても、常に均一厚さのホログラム３をホログラム収納凹部２２ａの全面にわたって形成することができ、所要の記録特性を有するホログラムメディアカートリッジを高歩留まりで作製することができる。
【００２９】
さらに、本例のホログラムメディアカートリッジは、カートリッジケース２の上面にホログラム３に対する情報の記録位置を示すための基準位置マーク２４を形成したので、当該基準位置マーク２４を基準として、カートリッジケース２内に収納されたホログラム３に対する情報の記録とホログラム３に記録された情報の再生とを行うことができるので、情報の記録再生を高精度かつ高能率に行うことができる。
【図面の簡単な説明】
【００３０】
【図１】実施形態に係るホログラムメディアカートリッジの平面図である。
【図２】実施形態に係るホログラムメディアカートリッジの背面図である。
【図３】実施形態に係るホログラムメディアカートリッジの一側面図である。
【図４】実施形態に係るホログラムメディアカートリッジの一端面図である。
【図５】図１のＡ−Ａ断面図である。
【図６】図１のＢ−Ｂ断面図である。
【図７】図２のＣ−Ｃ断面図である。
【図８】図２のＤ−Ｄ断面図である。
【図９】実施形態に係るホログラムメディアカートリッジの斜視図である。
【図１０】実施形態に係るホログラムメディアカートリッジのシャッタ開放状態の平面図である。
【符号の説明】
【００３１】
１    カートリッジ本体
２    カートリッジケース
３    ホログラム
４    基板
５    シャッタ部材
１２    透孔
２２ａ    ホログラム収納凹部
２２ｂ    ホログラム溜め凹部
２３    基板収納凹部（第２凹部）
２４    基準位置マーク
【図１】
2006338774.tif 000003
【図２】
2006338774.tif 000004
【図３】
2006338774.tif 000005
【図４】
2006338774.tif 000006
【図５】
2006338774.tif 000007
【図６】
2006338774.tif 000008
【図７】
2006338774.tif 000009
【図８】
2006338774.tif 000010
【図９】
2006338774.tif 000011
【図１０】
2006338774.tif 000012